(57)【要約】【課題】軽量で、且つ視認性に優れた行灯式道路標識塔の提供。【解決手段】行灯式道路標識塔Ａは、フレームと、標識面となる面以外を塞ぐアルミ板２１〜２４と、標識面に取り付けられる透光性シート３１、３２と、標識内部に取り出し可能に設置される白色の蛍光灯とを備えた行灯式標識５を、支柱６のアーム部６１に配設してなる。【選択図】        図１
2004346541.tif 000002
【特許請求の範囲】
【請求項１】
水平方向のアーム部を備える支柱と、
該アーム部に配設される行灯式標識とからなる行灯式道路標識塔であって、
前記行灯式標識は、所定の文字や図形を記載した透光性シートを骨格体に取り付けた箱状を呈するとともに、内部に光源を設置したことを特徴とする行灯式道路標識塔。
【請求項２】
水平方向のアーム部を備える支柱と、
該アーム部に配設される行灯式標識とからなる行灯式道路標識塔であって、
前記行灯式標識は、複数の枠を中空の四角錐台に組み付けるとともに、標識面となる面以外を金属板で塞ぎ、所定の文字や図形を記載した透光性シートを前記標識面の枠に取り付けて箱状とし、内部に光源を設置したことを特徴とする行灯式道路標識塔。
【請求項３】
前記枠の外縁部に形成した凹溝に前記透光性シートの縁部を差し込み、更に凸状体を嵌め込んで前記透光性シートを前記枠に固定したことを特徴とする請求項２に記載の行灯式道路標識塔。
【請求項４】
前記金属板の内、台形の金属板は着脱可能であり、
前記光源は、行灯式標識内に架設されたガイドへ、スライド可能に取り付けられる蛍光灯であることを特徴とする請求項２または請求項３に記載の行灯式道路標識塔。
【請求項５】
前記行灯式標識の下部にネジ孔を設け、該ネジ孔にフックを螺合して着脱可能に看板を吊り下げできる様にしたことを特徴とする請求項１乃至請求項４の何れかに記載の行灯式道路標識塔。
【発明の詳細な説明】
【０００１】
【発明の属する技術分野】
この発明は、道路脇などに設置される行灯式道路標識塔に関する。
【０００２】
【従来の技術】
通常、道路標識塔は、支柱の下端が地中に埋設され、上端から水平方向にアームが延設され、アームに標識を取り付けてなる。
そして、その道路標識塔は、二枚の標識板を背面側の間隔が、上部で広く、下部で狭くなる様に背向して支柱に固定している（特許文献１参照）。
【０００３】
【特許文献１】
特開平７−  ３７３２号公報（第１頁〜第３頁、図１〜図４）
【０００４】
【発明が解決しようとする課題】
特許文献１の道路標識塔は、重量が重くなるので、丈夫な支柱が必要であるとともに、設置作業に手間がかかる。
【０００５】
本発明の第１の目的は、軽量で、且つ視認性に優れた行灯式道路標識塔の提供にある。
本発明の第２の目的は、透光性シートを強固に矩形枠に固定することができる行灯式道路標識塔の提供にある。
本発明の第３の目的は、光源である蛍光灯を容易に交換可能な行灯式道路標識塔の提供にある。
【０００６】
【課題を解決するための手段】
［請求項１について］
水平方向のアーム部を備える支柱とアーム部に配設される行灯式標識とからなる行灯式道路標識塔は、所定の文字や図形を記載した透光性シートを骨格体に取り付けた箱状を呈するとともに、内部に光源を設置している。
【０００７】
行灯式道路標識塔は、行灯式標識が透光性シートを骨格体に取り付けた箱状を呈するので軽量である。また、所定の文字や図形を記載した透光性シートを取り付けた箱状の骨格体の内部に光源を設置しているので、夜間や遠く離れていても所定の文字や図形が明るく見え、視認性に優れる。
【０００８】
［請求項２について］
水平方向のアーム部を備える支柱とアーム部に配設される行灯式標識とからなる行灯式道路標識塔は、複数の枠を中空の四角錐台に組み付けるとともに、標識面となる面以外を金属板で塞ぎ、所定の文字や図形を記載した透光性シートを前記標識面の枠に取り付けて箱状とし、内部に光源を設置している。
【０００９】
行灯式道路標識塔は、複数の枠を中空の四角錐台に組み付けるとともに、標識面となる面以外を金属板で塞ぎ、透光性シートを標識面の枠に取り付けて行灯式標識を箱状としているので軽量である。また、所定の文字や図形を記載した透光性シートを標識面の枠に取り付けて箱状とし、内部に光源を設置しているので、夜間や遠く離れていても所定の文字や図形が明るく見え、視認性に優れる。
【００１０】
［請求項３について］
行灯式道路標識塔は、枠の外縁部に形成した凹溝に透光性シートの縁部を差し込み、更に凸状体を嵌め込んで透光性シートを枠に固定している。
このため、透光性シートを強固に枠に固定することができる。
【００１１】
［請求項４について］
標識面となる面以外を塞ぐ金属板の内、台形の金属板は着脱可能であり、光源は、行灯式標識内に架設されたガイドへ、スライド可能に取り付けられる蛍光灯である。
光源である蛍光灯を交換する場合には、台形の金属板を脱着し、交換する蛍光灯をスライドさせてガイドから取り外す。つぎに、交換する蛍光灯をスライドさせてガイドに取り付け、台形の金属板を装着する。
上記手順に従えば、光源である蛍光灯を容易に交換することができる。
【００１２】
［請求項５について］
行灯式道路標識塔は、行灯式標識の下部にネジ孔を設け、該ネジ孔にフックを螺合して着脱可能に看板を吊り下げできる様にしている。
このため、行灯式標識の下部に看板を着脱可能に吊り下げできる。
【００１３】
【発明の実施の形態】
つぎに、本発明の第１実施例（請求項１〜４に対応）に係る行灯式道路標識塔Ａについて説明する。
行灯式道路標識塔Ａは、図１〜図５に示す如く、鉄合金製のフレーム１と、標識面となる面以外を塞ぐアルミ板２１〜２４と、標識面に取り付けられる透光性シート３１、３２と、標識内部に設置される白色の蛍光灯４とを備えた行灯式標識５を、支柱６のアーム部６１に配設してなる。
【００１４】
なお、行灯式標識５のアーム部６１への固定は、図２に示す如く、フレーム１の枠に連結される固定筒５１と、固定筒５１に捩じ込まれるネジ５２とにより行っている。
【００１５】
フレーム１は、断面が正方形の複種類の枠５０を、中空の四角錐台に組み付けて構成されている。
フレーム１の前面および後面は、骨格が幅広の長方形を呈する枠５０により構成されている。なお、前面および後面を構成する枠５０の外縁部には、凹溝１１が周設されている。また、本実施例では、フレーム１の前面および後面が標識面となっている。
【００１６】
フレーム１の上面は、骨格が幅狭の長方形を呈する枠５０により構成され、断面コ字状のアルミ板２１がネジ止めされている。
フレーム１の下面は、骨格が更に幅狭の長方形を呈し、断面コ字状のアルミ板２２がネジ止めされている。
【００１７】
フレーム１の左右側面は、骨格が台形を呈する枠５０により構成され、断面コ字状のアルミ板２３、２４がネジ止めされている。
【００１８】
透光性シート３１、３２は、蛍光灯４の光を数十％程度通す、透光性のシート（塩化ビニル製）であり、所定の文字や図形がカラー印刷されている。
所定の文字や図形は、各施設（温泉、食堂、遊園地）の案内（名称、道順、営業時間、電話番号）である。
【００１９】
この透光性シート３１、３２は、図４に示す如く、フレーム１の前面および後面を構成する枠５０の外縁部に形成した凹溝１１に縁部が差し込まれ、更に断面コ字状の凸状体３３が圧入され、枠５０に固定されている。
【００２０】
行灯式標識５内の上部に水平設置される取付台５３の下面には、切欠ｋ付きの中空ガイド５４が固着されている（図５参照）。この中空ガイド５４の中空部には、ボルトｂとナットｎにより基台５６の上面側に連結された断面コ字状の摺動体５５がスライド可能に嵌め込まれる。
【００２１】
蛍光灯４は、基台５６の下面側に取り付けられ、行灯式標識５側の受電部と給電部とが図示しない被覆線を介して電気接続され点灯する。
なお、蛍光灯４を交換する場合には、図５に示す様に、ネジ４１を回してアルミ板２４を取り外し、基台５６を中空ガイド５４から取り出す。
つぎに、新しい蛍光灯４を取り付けた基台５６を中空ガイド５４内に差し込み、ネジ４１を締めてアルミ板２４を取り付ける。
【００２２】
支柱６は、水平方向へ延設するアーム部６１を上部に備え、道路端の地中に垂直に下部が埋設される。
【００２３】
本実施例の行灯式道路標識塔Ａは、以下の利点を有する。
〔ア〕水平方向のアーム部６１を備える支柱６とアーム部６１に配設される行灯式標識５とからなる行灯式道路標識塔Ａは、複種類の枠５０を中空の四角錐台に組み付けるとともに、標識面となる面以外をアルミ板２１〜２４で塞ぎ、透光性シート３１、３２を標識面の枠５０に取り付け、内部に蛍光灯４を設置している。
【００２４】
このため、行灯式道路標識５が比較的軽量に製造できるので、従来より細い支柱６に設置可能であり、且つ設置作業に手間がかからない。
また、標識内に蛍光灯４を設置し、透光性シート３１、３２を標識面の枠５０に取り付けているので、夜間や遠く離れていても、車内から所定の文字や図形が明るく見え、視認性に優れる。
【００２５】
〔イ〕行灯式道路標識塔Ａは、枠５０の外縁部に形成した凹溝１１に透光性シート３１、３２の縁部を差し込み、更に凸状体３３を嵌め込んで透光性シート３１、３２を枠５０に固定している。このため、透光性シート３１、３２を強固に枠５０に固定することができる。
【００２６】
〔ウ〕アルミ板２１〜２４の内、台形のアルミ板２４は着脱可能であり、行灯式標識５内の上部に水平設置される取付台５３の下面に固着された中空ガイド５４の中空部内へ、蛍光灯４を下面側に取り付けた基台５６を取り出し可能に嵌め込んでいる。
このため、蛍光灯４を容易に交換することができる。
【００２７】
つぎに、本発明の第２実施例（請求項１〜４に対応）に係る行灯式道路標識塔Ｂを図６に基づいて説明する。
行灯式道路標識塔Ｂは、以下に示す点が行灯式道路標識塔Ａと異なる。
【００２８】
行灯式標識５内の中央部に水平設置される取付台５３の下面および上面には、切欠ｋ付きの中空ガイド５４、５４が固着されている（図６参照）。この中空ガイド５４、５４の中空部には、ボルトｂとナットｎにより基台５６の上面側および下面側に連結された断面コ字状の摺動体５５、５５がスライド可能に嵌め込まれる。
【００２９】
蛍光灯４は、基台５６、５６の下面側および上面側に取り付けられ、行灯式標識５側の受電部と給電部とが図示しない被覆線を介して電気接続され点灯する。
なお、蛍光灯４を交換する場合には、図６に示す様に、ネジ４１を回してアルミ板２４を取り外し、基台５６、５６を中空ガイド５４、５４から取り出す。  つぎに、新しい蛍光灯４、４を取り付けた基台５６、５６を中空ガイド５４、５４に差し込み、ネジ４１を締めてアルミ板２４を取り付ける。
【００３０】
本実施例の行灯式道路標識塔Ｂは、以下の利点を有する。
〔エ〕水平方向のアーム部６１を備える支柱６とアーム部６１に配設される行灯式標識５とからなる行灯式道路標識塔Ｂは、複種類の枠５０を中空の四角錐台に組み付けるとともに、標識面となる面以外をアルミ板２１〜２４で塞ぎ、透光性シート３１、３２を標識面の枠５０に取り付け、内部に蛍光灯４、４を上下に設置している。
【００３１】
このため、行灯式標識５が比較的軽量に製造できるので、従来より細い支柱６に設置可能であり、且つ設置作業に手間がかからない。
また、行灯式標識５内に蛍光灯４、４を上下に設置し、透光性シート３１、３２を標識面の枠５０に取り付けているので、夜間や遠く離れていても、車内から所定の文字や図形全体が明るく見え、視認性に優れる。
【００３２】
〔オ〕行灯式道路標識塔Ｂは、枠５０の外縁部に形成した凹溝１１に透光性シート３１、３２の縁部を差し込み、更に凸状体３３を嵌め込んで透光性シート３１、３２を枠５０に固定している。このため、透光性シート３１、３２を強固に枠５０に固定することができる。
【００３３】
〔カ〕アルミ板２１〜２４の内、台形のアルミ板２４は着脱可能であり、行灯式標識５内の中央部に水平設置される取付台５３の下面および上面に固着された中空ガイド５４、５４の中空部内へ、蛍光灯４、４を下面側および上面側に取り付けた基台５６、５６を取り出し可能に嵌め込んでいる。
このため、蛍光灯４、４を容易に交換することができる。
【００３４】
本発明は、上記実施例以外に、つぎの実施態様を含む。
ａ．図７に示す様に、行灯式標識５の下部にネジ孔（図示せず）を形成し、このネジ孔にフック１２を螺合して着脱可能に看板１３を吊り下げできる様にしても良い｛行灯式道路標識塔Ｃ；請求項５に対応、第３実施例｝。
【００３５】
ｂ．図８に示す様に、透光性シートを透明のプラスチック板３４で形成し、所定の文字や図形をプラスチック板３４に印刷しても良い｛行灯式道路標識塔Ｄ；請求項１、２、４に対応、第４実施例｝。
この場合には、アルミ板２１〜２３とフレーム１との隙間に、プラスチック板３４を横方向にスライドさせて嵌め込み、ネジ４１を締めてアルミ板２４をフレーム１に取り付ける。
【００３６】
ｃ．図９に示す様に、複種類の枠を、中空の直方体に組み付け、内部に蛍光灯を設置しても良く、上記〔ア〕〜〔ウ〕に準じた利点を有する｛行灯式道路標識塔Ｅ；請求項１に対応、第５実施例｝。
なお、フレームの上面および下面は、横長で幅狭の長方形を呈する枠により骨格が構成され、断面コ字状のアルミ板２５、２６がネジ止めされている。また、フレームの左右側面は、幅狭の長方形を呈する枠により骨格が構成され、断面コ字状のアルミ板２７、２８がネジ止めされている。
【００３７】
ｄ．行灯式標識が著しく横長の場合には、図１０に示す様に、蛍光灯４、４を並設する構成であっても良い（請求項１に対応）。
つまり、行灯式標識内に水平設置される取付台の下面に切欠ｋ付きの中空ガイド５４が固着され、ボルトとナットにより基台５６、５６の上面側に連結された断面コ字状の摺動体５５が中空部にスライド可能に嵌め込まれている。
そして、基台５６の下面側に、紐５７で連結した蛍光灯４、４が取り付けられている。
【００３８】
ｅ．行灯式標識が大型で上面の幅が長い場合には、標識面の傾斜が急になり、遠くからの視認性を下げる。この場合には、図１１に示す様に、フレームの下面を構成する枠間に、断面台形の角材１０を挟んでフレームの下面の幅を広げ、標識面の傾斜を緩くするのが好ましい。
【図面の簡単な説明】
【図１】本発明の第１実施例に係る行灯式道路標識塔の斜視図である。
【図２】その行灯式道路標識塔の行灯式標識と、支柱のアーム部との配設構造を説明するための説明図である。
【図３】その行灯式道路標識塔の行灯式標識の分解斜視図である。
【図４】その行灯式道路標識塔の行灯式標識の要部拡大図である。
【図５】その行灯式道路標識塔の行灯式標識の蛍光灯の着脱構造を示す説明図である。
【図６】本発明の第２実施例に係る行灯式道路標識塔の行灯式標識の内部構造を示す説明図である。
【図７】本発明の第３実施例に係る行灯式道路標識塔の傾視図である。
【図８】本発明の第４実施例に係る行灯式道路標識塔の行灯式標識の内部構造を示す説明図である。
【図９】本発明の第５実施例に係る行灯式道路標識塔の傾視図である。
【図１０】著しく横長の行灯式標識の場合における、蛍光灯の着脱構造を示す説明図である。
【図１１】行灯式標識が大型で上面の幅が長い場合における場合の対応を示す説明図である。
【符号の説明】
Ａ〜Ｅ  行灯式道路標識塔
１  フレーム
４  蛍光灯（光源）
５  行灯式標識
６  支柱
１１  凹溝
１２  フック
１３  看板
２１〜２４  アルミ板（金属板）
３１、３２  透光性シート
３３  凸状体
３４  プラスチック板（透光性シート）
５０  枠
５４  中空ガイド（ガイド）
６１  アーム部
【図１】
2004346541.tif 000003
【図２】
2004346541.tif 000004
【図３】
2004346541.tif 000005
【図４】
2004346541.tif 000006
【図５】
2004346541.tif 000007
【図６】
2004346541.tif 000008
【図７】
2004346541.tif 000009
【図８】
2004346541.tif 000010
【図９】
2004346541.tif 000011
【図１０】
2004346541.tif 000012
【図１１】
2004346541.tif 000013